(57)【要約】【目的】本発明は、伝統的な巻物の出版を促進する為に、筒型の缶に巻物を詰め、保存性が高く、立ち読み防止にもなり、その存在が出版物としては特異で書店で目立た存在感があるため購入者の興味と関心を引く缶入り巻物出版物を提供する。【構成】筒型の缶（１）に巻物状の出版物（２）を入れて封缶する事を特徴とする。【選択図】　図１
2004074762.tif 000002
【特許請求の範囲】
【請求項１】
筒型の缶の中に、巻物状の出版物を封缶する事を特徴とする缶入り巻物出版物。
【請求項２】
缶の蓋をプルトップ式の缶にした請求項１の缶入り巻物出版物。
【請求項３】
缶の上に、キャップを付けた請求項１、２の缶入り巻物出版物。
【請求項４】
茶筒状の缶を用いた請求項１の缶入り巻物出版物。
【発明の詳細な説明】
【０００１】〔産業上の利用分野〕この発明は、巻物出版物（２）を筒型の缶（１）の中に入れて封缶する事を特徴とする缶入り巻物出版物に関する物である。
【０００２】〔従来の技術〕従来、特に現代において出版物は、コーデックスの発明後、製本技術や印刷技術の進歩と共に本という形で出版されるのが普通である。物質的に豊かな現代にあっては、毎日大量の本が出版され、大型書店では、装丁やデザインなどにより技術的に本そのものを目立たさせるということは困難を極める状態になってきている。
【０００３】巻物は巻子本とも呼ばれ、古くからの教典、古文書などで利用されてきた伝統的な出版形式であり、教典、家系図、絵巻など連続性を重視する内容に対しては優位性が有るにも係わらず、現代にあっては書や掛け軸などで使われているだけの状態で、一般的な出版形式とはなっていない。理由として考えられるのは、巻物が伝統的な手作業により制作される事と、標紙（うら、袖ともいう）や隔水陵、玉池等と呼ばれる部分が正絹緞子であったり、軸先が印巻軸（黒檀など）の高級材を使用し、桐の箱に入れたりして販売している等、価格面でも高価すぎる事などが考えられる。
【０００４】缶詰の技術に関しては、飲料、食品等を主流に、衣料やテニスボール、すずらんの花等を仕込んだ鉢機能の物、高原の空気を圧縮して詰めたお土産も出回っている。缶詰の役割の第一義的性能は内蔵物を腐敗や酸化かから守り、安定的に保存出来る事であるが、その意味で利用されているのは飲料や食品に対してだけであり、出版物を入れて販売するという発想は今日の所無かった。現在は、缶切りの要らないプルトップ式（４）の缶が全盛で、便利であり切り口も綺麗であるが、古くからの缶詰もまだまだ健在である。
【０００５】何れにせよ、製缶技術は、製缶から印刷、封缶まで工場における大量生産の技術が確立されており、一個当たりのコストも安く、技術的には何の問題もない。食品類以外にもその保存性を生かして利用する道を模索する事は、販路拡大の為にも業界の懸案事項である。
【０００６】〔発明が解決しようとする課題〕本発明者は、そのような欠点を打開すべく、巻物に内容が向く出版物を保存性の良い巻物出版物として販売、普及させることと、大量の本が並ぶ売り場で、出版しようとする出版物そのものの存在を目立たせアピールする事を課題にしている。
【０００７】〔課題を解決するための手段〕以上のような事情から試作と研究を重ね、筒状の缶に、日本古来の伝統のある巻物風の出版物を現代の新素材で安価に作成し、それを封缶すれば目的を達成できるということを発明するに至った。
【０００８】〔作用〕本発明は以上の様な形態の缶入り巻物出版物なので、本売り場に置けば缶詰の出版物は今まで無かったので、異色の出版物として独断状にお客様の目を引きつける事ができる。通常は横に寝かせて販売しなくてはならない巻物を立てて販売する事も可能にする。この事により、缶の側面に印刷するタイトルや説明等のコピーを見せやすくする事ができる。缶は通常使い捨てであるが、本発明の場合はキャップ（５）を付けた場合は、開缶後も保管ケースとしての使用が出来るので捨てられることも少なく環境にも良い。
又、売り場では、缶に蓋がしてある事により、立ち読み防止の効果もある。従って、陳列中の商品としては傷みが少ない。
缶は、堅牢であるので取り扱い易く、それだけでも中の巻物状の出版物の劣化を防ぎ、除湿剤や防虫剤、鉄粉等の酸素吸収剤等を一緒に入れておくと、カビや虫食い、酸化による紙の劣化などから守られ、経文等の長期に渡る保管が可能になるし、重ねても重量が巻物にかからないので傷みが少ない。更に、巻物と筒状の缶は形の上でも相性がよい。
【０００９】〔実施例〕　本発明は以上述べてきたように、巻物状の出版物（２）を筒状の缶（１）の中に入れ缶詰にして販売するのが基本であり（請求項１）、缶の蓋にプルトップ式（４）を用いたもの（請求項２）、缶の上に更にキャップ（５）を付けたもの（請求項３）、茶筒状の上下にわかれる缶（６）を使用したもの（請求項４）のような形態を持つ。本発明は出版物を缶詰にして販売するというビジネス方式に関する特許願ということにもなる。
【００１０】巻物は連続性のある事柄に対しては、枠がないぶん本よりも表現がまさる場合があるので、必要性に応じて残して置きたい文化である。現在では、テレビ用のゲームソフトの中で、パワーアップのアイテムとして頻繁にゲーム上で登場しているので、若者を中心に潜在的な実物需要は既に高いと思われる。海外でも忍者映画のブームがあり、死海文書なども元々巻物なので巻物出版物に対する憧れは高いと思われる。本発明においては、現代の印刷技術と工業力や現代の素材（特種な紙やプラスチツク等）を基に大量生産し販売する事を念頭においているが、昔ながらの高級手工芸品やレプリカを入れてもその効果は同じである。
内容的には特に、経文、家系図、歴史絵巻、地図等には向くと思われる。現代では、新作は勿論、ゲームソフトに関連したアドベンチャー物とか攻略本、占い、サバイバルや薬草図鑑等のハウツウ物、空手、柔道、剣道、茶道、華道などの免許皆伝本、忍術関係本、死後の世界や生まれ変わり、催眠術、家相、手相、人相学などの神秘的な物、絵本など昔からある日本話、民話、外国の有名な物語、更には失いたくなく後世に残したい物語も向くと思われる。
【００１１】缶に入れると言うことに関しては、当然のことながら、缶の側面にタイトル、内容の説明などを印刷する事になるが、今までに無い文化的な意味合いを持つ缶になるので、中身がだめになっても小銭入れや筆立て、菓子入れ等に再利用することもできる。
更に、販促用のグッズ（フギャー）等を同時に封入することもできる。
【００１２】〔発明の効果〕本発明は、単なる寄せ集めでは無く、筒状の缶と筒状である巻物を重ね合わせて合体する事により、理想的なパッケージとして価格低下と大量生産を可能にし、初めて上記のような効果を生むことが出来るのである。少なくとも、桐の箱に入れて販売するよりは価格的にも優位で大量生産に向き、ケースの機能と言う意味でも最適である。結果、書籍文化において新しい巻物の販売方法を見いだしたものなのである。
【００１３】書店の中で目立つと言うことは、珍しさで購入者の興味をそそり、今まで本に興味が無かった層にも新しい購買意欲を喚起する事が出来、新しい消費が発生する。結果、日本の経済にも貢献出来る事になる。
【００１４】本技術は、各地でその地方の自然の風景、民話、伝説、風物詩、観光名所、地図、写真等を入れる事により、目新しい観光案内やお土産を作成する事にも生かすことも出来る。
【００１５】本発明は、立ち読み防止の効果は完璧である為に、見られてしまえばお終いである知的所有権たる著作権の保護を万全にする効果もある。
【００１６】本発明により、安価で消費者の興味を引きつける巻物が広く普及すれば、内容的に顧客としては子供が主体となると思われるがその際、巻物は広げた後に巻き取るという作業が必要になる。手、指を使って作業すると悩に刺激を与え知能の向上に役立つと言われているので、日本人の能力の発達にも貢献出来る事になる。
【図面の簡単な説明】
【図１】本発明の缶入り巻物出版物の透視の分解斜視図である。
【図２】本発明の茶筒型缶を使用した際の斜視図である。
【符号の説明】
（１）は筒型の缶　（２）は巻物出版物　（３）は通常の缶蓋
（４）はプルトップ缶蓋　（５）は缶のキャップ　（６）は茶筒型の缶
【図１】
2004074762.tif 000003
【図２】
2004074762.tif 000004